(57)【要約】【課題】接続ケーブルの組付け方向性をなくして組立作業性を向上させると共に誤組の発生を防止することができる配線ユニットを提供する。【解決手段】配線ユニットは、メイン基板１に実装されるハーネス用コネクタ６０と、インタフェース基板３に実装されるハーネス用コネクタ７０と、ハーネス用コネクタ６０とハーネス用コネクタ７０とを接続し、ＵＳＢ差動信号用ハーネス７２とＨＤＭＩ差動信号用ハーネス７１とを有する。ハーネス用コネクタ６０，７０のそれぞれが有する複数の端子のうち、中心に位置する端子にＵＳＢ差動信号用ハーネス７２を配線すると共に、複数の端子のうちの残りの端子に対してＵＳＢ差動信号用ハーネス７２を挟んで対称となるようにＨＤＭＩ差動信号用ハーネス７１を配線する。【選択図】図４
2013025984.tif 000002
【特許請求の範囲】
【請求項１】
第１の接続コネクタと、第２の接続コネクタと、前記第１の接続コネクタと前記第２の接続コネクタとを接続し、少なくとも第１の差動信号を伝送する第１の信号伝送路と第２の差動信号の伝送する第２の信号伝送路とを有する伝送ケーブルとを備える配線ユニットであって、
前記第１の信号伝送路は、前記第１の接続コネクタ及び前記第２の接続コネクタのそれぞれが有する複数の端子のうちの中心に位置する端子に配線されると共に、前記第２の信号伝送路は、前記複数の端子のうちの残りの端子に対して前記第１の信号伝送路を挟んで対称となるように配線されることを特徴とする配線ユニット。
【請求項２】
前記第１の接続コネクタを実装する第１の基板と、
前記第１の基板に実装され、前記第１の基板に形成された第１の伝送回路を通して前記第１の接続コネクタとの間で前記第１の差動信号の伝送を行う第１の電子部品と、
前記第１の基板に実装され、前記第１の基板に形成された第２の伝送回路を通して前記第１の接続コネクタとの間で前記第２の差動信号の伝送を行う第２の電子部品と、を更に備え、
前記第１の接続コネクタに対する前記第１の伝送回路及び前記第２の伝送回路の配線パターンが、前記第１の接続コネクタに対する前記第１の信号伝送路及び前記第２の信号伝送路の配線パターンと同じであることを特徴とする請求項１記載の配線ユニット。
【請求項３】
前記第２の接続コネクタを実装する第２の基板と、
前記第２の基板に実装され、前記第２の基板に形成された第３の伝送回路を通して前記第２の接続コネクタとの間で前記第１の差動信号の伝送を行う第１のコネクタと、
前記第２の基板に実装され、前記第２の基板に形成された第４の伝送回路を通して前記第２の接続コネクタとの間で前記第２の差動信号の伝送を行う第２のコネクタと、を更に備え、
前記第２の接続コネクタに対する前記第３の伝送回路及び前記第４の伝送回路の配線パターンが、前記第２の接続コネクタに対する前記第１の信号伝送路及び前記第２の信号伝送路の配線パターンと同じであることを特徴とする請求項１又は２記載の配線ユニット。
【請求項４】
前記第１のコネクタは、前記第１の差動信号を伝送する第１のケーブルを接続するものであり、前記第２のコネクタは、前記第２の差動信号を伝送する第２のケーブルを接続するものであることを特徴とする請求項３記載の配線ユニット。
【請求項５】
前記第１の接続コネクタ及び前記第２の接続コネクタのそれぞれが有する前記複数の端子は偶数極の端子であることを特徴とする請求項１乃至４のいずれか１項に記載の配線ユニット。
【請求項６】
前記第１の信号伝送路及び前記第２の信号伝送路はそれぞれ、前記第１の差動信号及び前記第２の差動信号の信号品質が保証されるようにインピーダンスコントロールされた細線同軸ケーブルであることを特徴とする請求項１乃至５のいずれか１項に記載の配線ユニット。
【請求項７】
前記第１の差動信号及び前記第２の差動信号はそれぞれ、ＵＳＢ制御信号及びＨＤＭＩ制御信号を構成する差動信号であり、又は、ＩＥＥＥ１３９４制御信号及びシリアルＡＴＡ制御信号を構成する差動信号であることを特徴とする請求項１乃至６のいずれか１項に記載の配線ユニット。
【発明の詳細な説明】
【技術分野】
【０００１】
本発明は、配線ユニットに関し、特に、ＵＳＢやＨＤＭＩ等の複数対の信号を伝送するための信号伝送路を備える電子機器に用いられる配線ユニットの配線パターンに関する。
【背景技術】
【０００２】
近年、ＣＣＤやＣＭＯＳ等の撮像素子を用いて被写体像を撮影し、撮影した画像データを記憶媒体に記録する、所謂、デジタルカメラ（電子カメラ）が広く普及している。一般的に、デジタルカメラには、プリンター・ＰＣ・テレビ等の外部電子機器に対する画像データや映像信号及び音声信号の転送手段として、ＵＳＢやＨＤＭＩといったインタフェースコネクタが設けられている。なお、ＵＳＢ及びＨＤＭＩはそれぞれ、Universal Serial Bus、及び、High-Definition Multimedia Interface、の略である。
【０００３】
これらのコネクタには、１対の伝送路（線路）に互いに逆方向のデジタル信号を入力する、所謂、差動伝送方式が用いられている。差動伝送方式では、信号線から発生する放射ノイズや外来ノイズを差動伝送により相殺することができるため、信号を小振幅で送信することができるようになる。また、信号を小振幅とすることができるために、信号の立ち上がり時間や立ち下がり時間が短縮され、信号伝送の高速化を実現することができるという利点がある。
【０００４】
一方で、差動伝送方式では、信号品質を保証するために、伝送線路にインピーダンス整合を行う必要がある。このインピーダンス整合が行われていない場合、信号の高周波成分が特性インピーダンスの不整合部分で反射を起こすため、リターンロスが生じ、信号が大きく減衰してしまう。また、反射によって伝送線路内に不要な輻射が生じ、この輻射が原因となってノイズが生じることがある。
【０００５】
このような問題の発生を防止するために、ＵＳＢコネクタ或いはＨＤＭＩコネクタで機器間を接続するケーブルや、機器内でのＵＳＢコネクタ或いはＨＤＭＩコネクタと電気回路間の配線について、差動伝送路の特性インピーダンスが規定されている。具体的には、特性インピーダンスは、ＵＳＢ接続の場合には９０Ω±１５％、ＨＤＭＩ接続の場合には１００Ω±１５％、と規定されている。
【０００６】
デジタルカメラでは、このような特性を踏まえて内部配線が構築されている。ＵＳＢコネクタ及びＨＤＭＩコネクタと電気回路間の配線構造の従来例について、図５を参照して具体的に説明する。
【０００７】
図５の配線構造では、ＨＤＭＩ基板１０４ａにＨＤＭＩコネクタ１００及び接続コネクタ１０１が実装されている。また、ＨＤＭＩ基板１０４ａとは別の基板であるＵＳＢ基板１０４ｂに、ＵＳＢコネクタ１０２及び接続コネクタ１０３が実装されている。更に別の基板であるメイン基板１０５に、ＭＡＩＮ−ＩＣ１０６、ＨＤＭＩ−ＩＣ１０７、ＵＳＢ−ＩＣ１０８、接続コネクタ１０９、接続コネクタ１１０が実装されている。なお、ＭＡＩＮ−ＩＣ１０６は、カメラ全体の制御を司る。ＨＤＭＩ−ＩＣ１０７は、ＨＤＭＩコネクタ１００を制御する、ＵＳＢ−ＩＣ１０８は、ＵＳＢコネクタ１０２を制御する。
【０００８】
図５の配線構造では、上述した規定値を満足するように、差動伝送路１００ａ，１０７ａ，１０２ａ，１０８ａのそれぞれに対して、インピーダンスコントロールがなされている。なお、差動伝送路１００ａは、ＨＤＭＩコネクタ１００と接続コネクタ１０１との間の信号伝送を司り、差動伝送路１０７ａは、ＨＤＭＩ−ＩＣ１０７と接続コネクタ１０９との間の信号伝送を司る。差動伝送路１０２ａは、ＵＳＢコネクタ１０２と接続コネクタ１０３との間の信号伝送を司り、差動伝送路１０８ａは、ＵＳＢ−ＩＣ１０８と接続コネクタ１１０との間の信号伝送を司る。
【０００９】
また、図５の配線構造では、接続フレキシブル配線板１１１によりＨＤＭＩ基板１０４ａとメイン基板１０５を接続しており、ＨＤＭＩの差動伝送路を転送するために、前述の規定値を満足するようにインピーダンスコントロールがなされている。なお、接続フレキシブル配線板１１１の表裏には、信号からの放射ノイズを防止するシールドとして銀シートが貼り付けられている。
【００１０】
接続ケーブル１１２は、例えば、細線同軸ケーブルであって、ＵＳＢ基板１０４ｂとメイン基板１０５を接続する。接続ケーブル１１２についても、ＵＳＢの差動伝送信号を転送するために、前述の規定値を満足するように、インピーダンスコントロールがなされている（特許文献１参照）。
【先行技術文献】
【特許文献】
【００１１】
【特許文献１】特開２００６−１２８６１８号公報
【発明の概要】
【発明が解決しようとする課題】
【００１２】
しかしながら、上記従来技術では、ＨＤＭＩコネクタとＵＳＢコネクタとがそれぞれ異なる基板に実装され、メイン基板との接続をフレキと細線同軸ケーブルとで行なっているため、部品点数及び組立工数が増えてしまい、コストアップにつながってしまう。また、フレキでの接続では、差動伝送路の配線長に制約があり、電子機器内での這い回しの自由度が小さい。
【００１３】
そこで発明者らは、このような問題点を解決する配線構造について検討した。図６は、図５の配線構造の問題点を解決する配線構造の例を示す図である。図６の配線構造では、ＨＤＭＩコネクタ１００、ＵＳＢコネクタ１０２及び接続コネクタ１１３がインタフェース基板１１５に実装されている。ＨＤＭＩコネクタ１００の差動伝送路１００ａ及びＵＳＢコネクタ１０２の差動伝送路１０２ａはそれぞれ、接続コネクタ１１３にコネクタ端から図示の通りに順に接続される。
【００１４】
また、図６の配線構造では、図５の配線構造と同様に、メイン基板１０５に、ＭＡＩＮ−ＩＣ１０６、ＨＤＭＩ−ＩＣ１０７及びＵＳＢ−ＩＣ１０８が実装されている。メイン基板１０５には接続コネクタ１１４が実装されており、ＨＤＭＩ−ＩＣ１０７の差動伝送路１０７ａ及びＵＳＢ−ＩＣ１０８の差動伝送路１０８ａは、接続コネクタ１１４にコネクタ端から図示の通りに順に接続されている。
【００１５】
更に図６の配線構造では、接続コネクタ１１３，１１４間を細線同軸ケーブルからなる接続ケーブル１１６（ＨＤＭＩ差動伝送用ケーブル：１１６ａ，ＵＳＢ差動伝送用ケーブル：１１６ｂ）によって電気的に接続している。ＨＤＭＩ差動伝送用ケーブル１１６ａには、１００Ωにインピーダンスコントロールされた４対の細線同軸ケーブルが用いられ、ＵＳＢ差動伝送用ケーブル１１６ｂには、９０Ωにインピーダンスコントロールされた１対の細線同軸ケーブルが用いられている。図６の配線構造とすることで、部品点数及び組立工数の削減が可能となる。
【００１６】
しかしながら、図６の配線構造のように、ＨＤＭＩ差動伝送路とＵＳＢ差動伝送路をコネクタ端から順番に割り当ててしまうと、ＨＤＭＩとＵＳＢとで差動伝送路のインピーダンスが異なるために、接続ケーブル１１６に方向性が生じる。そのため、組み立ての際に、基板間接続ケーブル１１６の方向性の確認が必要となり、作業効率が低下するおそれがある。また、正しい組み付け方向から１８０°反転させて組付けてしまうと、インピーダンスの不整合が起こり、これにより信号が大きく減衰してしまい、ＨＤＭＩ及びＵＳＢの通信性能が確保されなくなるおそれがある。
【００１７】
本発明は、図５に示したような従来技術に係る配線構造が抱える問題を解決すると共に、図６に示した配線構造により生じる新たな問題をも解決するものである。すなわち、本発明は、部品点数及び組立工数を減らすことができ、また、基板間接続ケーブルの組付け方向性をなくして組立作業性を向上させると共に誤組の発生を防止することができる配線ユニットを提供することを目的とする。
【課題を解決するための手段】
【００１８】
本発明に係る配線ユニットは、第１の接続コネクタと、第２の接続コネクタと、前記第１の接続コネクタと前記第２の接続コネクタとを接続し、少なくとも第１の差動信号を伝送する第１の信号伝送路と第２の差動信号の伝送する第２の信号伝送路とを有する伝送ケーブルとを備える配線ユニットであって、前記第１の信号伝送路は、前記第１の接続コネクタ及び前記第２の接続コネクタのそれぞれが有する複数の端子のうちの中心に位置する端子に配線されると共に、前記第２の信号伝送路は、前記複数の端子のうちの残りの端子に対して前記第１の信号伝送路を挟んで対称となるように配線されることを特徴とする。
【発明の効果】
【００１９】
本発明によれば、部品点数及び組立工数を減らすことができる。また、第１の接続コネクタと第２の接続コネクタとを接続する伝送ケーブルの組付け方向性をなくして、組立作業性を向上させると共に、誤組の発生を防止することができる。
【図面の簡単な説明】
【００２０】
【図１】本実施形態に係る配線ユニットを有するデジタルカメラにおける概略構成を示すブロック図である。
【図２】本実施形態に係る配線ユニットのデジタルカメラにおける配置例をカメラ後方斜めから見た斜視図である。
【図３】本実施形態に係る配線ユニットの構成を示す図である。
【図４】本実施形態に係る配線ユニットにおける差動伝送路の配線パターンを模式的に示す図である。
【図５】ＵＳＢコネクタ及びＨＤＭＩコネクタと電気回路間の配線構造の従来例を示す図である。
【図６】図５の配線構造の問題点を解決する配線構造の例を示す図である。
【発明を実施するための形態】
【００２１】
以下に、本発明の実施形態について、添付図面を参照して詳細に説明する。ここでは、本発明に係る配線ユニットが適用される電子機器として、所謂、デジタルカメラ（電子カメラ）を取り上げることとする。
【００２２】
＜デジタルカメラの概略構造＞
図１は、本実施形態に係る配線ユニットを有するデジタルカメラにおける概略構成を示すブロック図であり、主に電気信号系及び制御系の要部を示している。デジタルカメラは、撮像素子１０、撮像素子駆動／制御回路１１、Ａ／Ｄ変換回路１２、画像信号処理回路１３及びバッファメモリ１４を備えている。
【００２３】
撮像素子１０は、光学像を電気信号に変換するＣＣＤやＣＭＯＳ等の光電変換素子である。撮像素子駆動／制御回路１１は、撮像素子１０の駆動、制御を行う。Ａ／Ｄ変換回路１２は、撮像素子１０から出力されたアナログ信号をデジタル信号に変換する。画像信号処理回路１３は、Ａ／Ｄ変換回路１２から出力されたデジタル信号を処理して画像データを生成し、生成した画像データのバッファメモリ１４への保存や後述するＵＳＢ制御回路３０、ＨＤＭＩ制御回路４０及び外部記憶媒体制御回路１５への送信を行う。バッファメモリ１４は、画像信号処理回路１３が生成した画像データの一時的保存等に用いられる。
【００２４】
また、デジタルカメラは、外部記憶媒体制御回路１５、ＵＳＢ制御回路３０、ＵＳＢコネクタ３１、ＨＤＭＩ制御回路４０及びＨＤＭＩコネクタ４１を備えており、外部記憶媒体１６がデジタルカメラ本体に対して着脱自在な構造となっている。外部記憶媒体制御回路１５は、画像信号処理回路１３が生成した画像データの外部記憶媒体１６への送信や外部記憶媒体１６内の画像データのデジタルカメラの内部へ取り込み等、外部記憶媒体１６に対する画像データの受け渡しを制御する。外部記憶媒体１６としては、例えば、半導体メモリや磁気ディスク等が挙げられる。
【００２５】
ＵＳＢ制御回路３０（第１の電子部品）は、パーソナルコンピュータ（ＰＣ）等の外部機器（不図示）とのデータ通信を制御するＵＳＢ制御ＩＣを有する。ＵＳＢ制御回路３０は、例えば、ＵＳＢコネクタ３１を介して画像信号処理回路１３で生成された画像データを外部機器へ送信し、外部機器からデータをデジタルカメラの内部へ取り込む。ＨＤＭＩ制御回路４０（第２の電子部品）は、ＨＤＭＩ制御ＩＣを有し、ＨＤＭＩコネクタ４１を介して画像信号処理回路１３で生成された画像データ及び音声データをテレビ等の外部機器（不図示）へ送信するデータ通信を制御する。
【００２６】
デジタルカメラは、液晶表示装置１７、ＳＷ（スイッチ）類１８、カメラアクチュエータ類１９、センサ類２０、カメラ回路制御マイコン２１及びデジタル回路制御マイコン５０を備える。液晶表示装置１７は、撮影中の画像や撮影された画像、撮影モードやレンズの絞り値、シャッタスピード値、ＩＳＯ感度等の各種情報を表示する。ＳＷ類１８には、例えば、カメラ機能選択ＳＷやメインＳＷ、レリーズＳＷ、撮影モード切替えＳＷ等が含まれる。センサ類２０としては、測光センサやＡＦセンサ等が挙げられる。カメラアクチュエータ類１９は、例えば、撮像素子１０の電荷チャージを制御するためのシャッタやミラー等の駆動を行うアクチュエータを含む。
【００２７】
カメラ回路制御マイコン２１は、センサ類２０の駆動、ＳＷ類１８の状態の検知、液晶表示装置１７の表示制御、カメラアクチュエータ類１９の駆動制御及びこれら各種の処理や制御に関わる演算処理を統括的に行う。デジタル回路制御マイコン５０は、ＣＰＵバスを介して画像信号処理回路１３、ＵＳＢ制御回路３０、ＨＤＭＩ制御回路４０及び外部記憶媒体制御回路１５との通信やデータの受け渡しを行うと共に、これらの制御回路を統括的に制御している。カメラ回路制御マイコン２１とデジタル回路制御マイコン５０とは、相互通信により、協調してデジタルカメラの全体制御を行う。
【００２８】
＜デジタルカメラにおける配線ユニットの配置例＞
図２は、本実施形態に係る配線ユニットのデジタルカメラにおける配置例をカメラ後方斜めから見た斜視図である。デジタルカメラの動作、制御を司る主要な回路は、第１の基板であるメイン基板１に実装されている。すなわち、メイン基板１には、デジタル回路制御マイコン５０を始め、図２には不図示であるが、画像信号処理回路１３やＵＳＢ制御回路３０、ＨＤＭＩ制御回路４０、外部記憶媒体制御回路１５、カメラ回路制御マイコン２１等が実装されている。
【００２９】
外部機器との通信を行なうための第１のコネクタであるＵＳＢコネクタ３１及び第２のコネクタであるＨＤＭＩコネクタ４１は、第２の基板であるインタフェース基板３に実装されている。メイン基板１とインタフェース基板３とは、伝送ケーブルであるインタフェースハーネス２によって電気的に接続されている。インタフェースハーネス２は、後に詳細に説明する通り、ＨＤＭＩ及びＵＳＢの差動伝送の信号品質を保証するために、インピーダンスコントロールされた細線同軸ケーブルで構成されている。
【００３０】
＜配線ユニットにおける各種コンポーネントの配置及び配線＞
図３は、本実施形態に係る配線ユニットの構成を示す図であり、配線ユニットにおける各種コンポーネントの配置状態を示している。具体的には、メイン基板１、インタフェースハーネス２及びインタフェース基板３の配線形態を、図３（ａ）では正面図で、図３（ｂ）では背面図で、図３（ｃ）では背面斜視図で、それぞれ示している。
【００３１】
メイン基板１の正面側には、ＨＤＭＩ制御回路４０、ＵＳＢ制御回路３０及び偶数極からなる第１の接続コネクタとしてのハーネス用コネクタ６０が実装されている。一方、メイン基板１の背面側には、ＨＤＭＩ制御回路４０とＵＳＢ制御回路３０とを統括的に制御するデジタル回路制御マイコン５０が実装されている。
【００３２】
インタフェース基板３の背面側には、ＨＤＭＩコネクタ４１、ＵＳＢコネクタ３１及び偶数極からなる第２の接続コネクタとしてのハーネス用コネクタ７０が実装されている。インタフェースハーネス２は、メイン基板１に実装されたハーネス用コネクタ６０とインタフェース基板３に実装されたハーネス用コネクタ７０に接続されており、メイン基板１とインタフェース基板３とを電気的に接続している。ＨＤＭＩコネクタ４１には、第１のケーブルとしてのＨＤＭＩケーブル５を、ＵＳＢコネクタ３１には、第２のケーブルとしてのＵＳＢケーブル６を、それぞれ接続することができる。
【００３３】
＜インタフェースハーネスにおける差動伝送路の構成＞
図４は、本実施形態に係る配線ユニットにおける差動伝送路の配線パターンを模式的に示す図である。既に説明した通り、メイン基板１には、ＨＤＭＩ制御回路４０、ＵＳＢ制御回路３０、デジタル回路制御マイコン５０及びハーネス用コネクタ６０が実装されている。デジタル回路制御マイコン５０とＨＤＭＩ制御回路４０との間及びデジタル回路制御マイコン５０とＵＳＢ制御回路３０との間はそれぞれ、メイン基板１上に形成された配線パターンによって電気的に接続されている。
【００３４】
ＵＳＢ制御回路３０からの差動信号は、９０Ωでインピーダンスコントロールされた第１の伝送回路であるＵＳＢ用伝送回路３３を通じて、ハーネス用コネクタ６０に伝送される。一方、ＨＤＭＩ制御回路４０からの差動信号は、１００Ωでインピーダンスコントロールされた第２の伝送回路であるＨＤＭＩ用伝送回路４３を通じて、ハーネス用コネクタ６０に伝送される。
【００３５】
ＵＳＢ制御信号は、第１の差動信号である“Ｄ＋”，“Ｄ−”の１対の差動信号、電源信号である“Ｖ＿ＢＵＳ”及び“ＧＮＤ”の４信号を基本とした通信規格である。ハーネス用コネクタ６０は複数の端子を備えており、１対の差動信号（“Ｄ＋”，“Ｄ−”）を伝送するＵＳＢ用伝送回路３３は、図４に示されるように、その中心の端子の２極に接続される。例えば、ハーネス用コネクタ６０が２４極のコネクタの場合、ＵＳＢ用伝送回路３３は１２極と１３極の端子に接続される。
【００３６】
一方、ＨＤＭＩ制御信号は、ＲＧＢの色毎にある第２の差動信号である“映像＋”，“映像−”の１対の差動信号（合計で３対の差動信号）、“クロック＋”，“クロック−”の１対の差動信号、電源及びＧＮＤ等を含む１９信号で構成されている。これら４対の差動信号を伝送するＨＤＭＩ用伝送回路４３は、図４に示されるように、ハーネス用コネクタ６０に対して、ＵＳＢ用伝送回路３３が接続される極を挟んで対称となるように接続される。例えば、ハーネス用コネクタ６０が２４極のコネクタであれば、ＨＤＭＩ用伝送回路４３は、８極〜１１極と１４極〜１７極の端子に接続される。
【００３７】
インタフェース基板３には、既に説明した通り、ＨＤＭＩコネクタ４１、ＵＳＢコネクタ３１及びハーネス用コネクタ７０が実装されている。ＵＳＢコネクタ３１からの差動信号は、９０Ωでインピーダンスコントロールされた第３の伝送回路であるＵＳＢ用伝送回路３２を通じて、ハーネス用コネクタ７０に伝送される。ＨＤＭＩコネクタ４１からの差動信号は、１００Ωでインピーダンスコントロールされた第４の伝送回路であるＨＤＭＩ用伝送回路４２を通じて、ハーネス用コネクタ７０に伝送される。
【００３８】
ハーネス用コネクタ７０は複数の端子を備えており、メイン基板１における配線形態と同様に、インタフェース基板３でも、１対の差動信号を伝送するＵＳＢ用伝送回路３２は、ハーネス用コネクタ７０の中心の端子の２極に接続される。例えば、ハーネス用コネクタ７０が２４極のコネクタの場合、ＵＳＢ用伝送回路３２は１２極と１３極の端子に接続される。
【００３９】
また、４対の差動信号を伝送するＨＤＭＩ用伝送回路４２は、ハーネス用コネクタ７０に対して、ＵＳＢ用伝送回路３２が接続される極を挟んで対称となるように接続される。例えば、ハーネス用コネクタ７０が２４極のコネクタであれば、ＨＤＭＩ用伝送回路４２は、８極〜１１極と１４極〜１７極の端子に接続される。
【００４０】
インタフェースハーネス２は、第１の信号伝送路である１対のＵＳＢ差動信号用ハーネス７２と、第２の信号伝送路である４対のＨＤＭＩ差動信号用ハーネス７１によって構成されている。ＵＳＢ差動信号用ハーネス７２は９０Ωにインピーダンスコントロールされており、ＨＤＭＩ差動信号用ハーネス７１は１００Ωにインピーダンスコントロールされている。ＨＤＭＩ差動信号用ハーネス７１とＵＳＢ差動信号用ハーネス７２は、ハーネス用コネクタ６０，７０に接続されたＨＤＭＩ用伝送回路４３，４２及びＵＳＢ用伝送回路３３，３２に対応した並びとなっている。
【００４１】
なお、ＵＳＢ制御信号及びＨＤＭＩ制御信号のうち差動信号以外の信号を伝送する伝送回路は、インピーダンスコントロールの必要がないため、メイン基板１上及びインタフェース基板３上でＨＤＭＩ用伝送回路４３，４２の外側に形成すればよい。このとき、伝送回路は、ハーネス用コネクタ６０，７０に対して接続位置が対称となるように形成すればよい。これに対応するように、インタフェースハーネス２において差動信号以外の信号を伝送するハーネスは、ＨＤＭＩ差動信号用ハーネス７１の外側に対称となるように配列すればよい。
【００４２】
以上の説明の通り、本実施形態に係る配線ユニットは、従来よりも少ない部品点数で構成することができる。また、細線同軸ケーブルからなるインタフェースハーネスを用いることによって、電子機器内での這い回しの自由度が大きくなる。
【００４３】
更に、本実施形態に係る配線ユニットは、メイン基板とインターフェース基板とを接続するハーネスのインピーダンスが２種類混在する場合でもハーネスが対称形となり、組付け方向性をなくすことができる。これにより、配線ユニットを有する電子機器の組立作業性を向上させることができ、また、誤組み立てを防止することができる。
【００４４】
＜他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４５】
例えば、上記実施形態では、差動信号として、ＵＳＢ制御信号及びＨＤＭＩ制御信号を取り上げたが、これに限られず、ＩＥＥＥ１３９４制御信号及びシリアルＡＴＡ制御信号を伝送する場合にも、本発明に係る配線ユニットの構成を適用することができる。
【符号の説明】
【００４６】
１    メイン基板
２    インタフェースハーネス
３    インタフェース基板
３１    ＵＳＢコネクタ
３０，３２    ＵＳＢ用伝送回路
４１    ＨＤＭＩコネクタ
４３，４２    ＨＤＭＩ用伝送回路
６０    ハーネスコネクタ（メイン基板上）
７０    ハーネスコネクタ（インタフェース基板上）
【図１】
2013025984.tif 000003
【図２】
2013025984.tif 000004
【図３】
2013025984.tif 000005
【図４】
2013025984.tif 000006
【図５】
2013025984.tif 000007
【図６】
2013025984.tif 000008